【手続補正書】
【提出日】平成19年5月15日(2007.5.15)
【手続補正１】
【補正対象書類名】特許請求の範囲
【補正対象項目名】全文
【補正方法】変更
【補正の内容】
【特許請求の範囲】
【請求項１】
可搬プラットフォームと、
前記プラットフォームに結合され、流動接触分解ユニットに結合されるようになされた触媒リザーバと、
前記リザーバ出口に結合され、前記出口ポートを通る触媒の流れを制御するようになされた流量制御装置と
を備える移動式触媒注入システム。
【請求項２】
前記プラットフォームがトレイラである、請求項１に記載の移動式触媒注入システム。
【請求項３】
前記プラットフォームがコンテナである、請求項１に記載の移動式触媒注入システム。
【請求項４】
前記プラットフォームが貨車である、請求項１に記載の移動式触媒注入システム。
【請求項５】
前記プラットフォームがパレットである、請求項１に記載の移動式触媒注入システム。
【請求項６】
前記プラットフォームがバージである、請求項１に記載の移動式触媒注入システム。
【請求項７】
前記プラットフォームに結合された発電機をさらに備える、請求項１に記載の移動式触媒注入システム。
【請求項８】
前記プラットフォームおよび流量制御装置に結合された、前記触媒リザーバから分配された触媒を制御するための制御装置をさらに備える、請求項１に記載の移動式触媒注入システム。
【請求項９】
前記プラットフォームおよび前記触媒リザーバに結合された、前記触媒リザーバ内の圧力を制御するための圧力制御システムをさらに備える、請求項１に記載の移動式触媒注入システム。
【請求項１０】
前記触媒リザーバが、前記プラットフォームに対して相対的に移動可能である、請求項１に記載の移動式触媒注入システム。
【請求項１１】
前記触媒リザーバと前記プラットフォームとの間に配置された複数のロードセルをさらに備える、請求項１に記載の移動式触媒注入システム。
【請求項１２】
前記触媒リザーバから分配された触媒を示す計量を検出するようになされたセンサをさらに備える、請求項１に記載の移動式触媒注入システム。
【請求項１３】
前記触媒リザーバがさらに、
複数の区画と、
前記触媒リザーバ内に配置され、前記区画を結合させるプレナムとを備える、請求項１に記載の移動式触媒注入システム。
【請求項１４】
前記複数の区画のうち少なくとも２つの容積が実質的に等しい、請求項１３に記載の移動式触媒注入システム。
【請求項１５】
前記複数の区画のうち少なくとも２つの容積が実質的に異なる、請求項１３に記載の移動式触媒注入システム。
【請求項１６】
前記複数の区画のうち少なくとも１つの容積が調整可能である、請求項１３に記載の移動式触媒注入システム。
【請求項１７】
前記プラットフォームに結合され、前記流動接触分解ユニットに結合されるようになされた第２の触媒リザーバをさらに備える、請求項１に記載の移動式触媒注入システム。
【請求項１８】
トレイラと、
前記トレイラに結合され、流動接触分解ユニットに結合されるようになされた触媒リザーバと、
前記トレイラおよび触媒リザーバに結合された圧力制御システムと、
前記圧力制御システムに結合された発電機と、
前記リザーバ出口に結合され、前記出口ポートを通る触媒の流れを制御するようになされた流量制御装置と
を備える移動式触媒注入システム。
【請求項１９】
前記触媒リザーバがさらに、
複数の区画と、
前記触媒リザーバ内に配置され前記区画を結合させるプレナムとを備える、請求項１８に記載の移動式触媒注入システム。
【請求項２０】
前記複数の区画のうち少なくとも１つの容積が調整可能である、請求項１９に記載の移動式触媒注入システム。
【請求項２１】
前記プラットフォームと圧力制御システムとに結合された第２の触媒リザーバをさらに備える、請求項１８に記載の移動式触媒注入システム。
【請求項２２】
コンテナと、
前記コンテナに結合され、流動接触分解ユニットに結合されるようになされた触媒リザーバと、
前記トレイラおよび触媒リザーバに結合された圧力制御システムと、
前記圧力制御システムに結合された発電機と、
前記リザーバ出口に結合され、前記出口ポートを通る触媒の流れを制御するようになされた流量制御装置と
を備える移動式触媒注入システム。
【請求項２３】
前記触媒リザーバがさらに、
複数の区画と、
前記触媒リザーバ内に配置され、前記区画を結合させるプレナムとを備える、請求項２２に記載の移動式触媒注入システム。
【請求項２４】
前記複数の区画の少なくとも１つの容積が調整可能である、請求項２３に記載の移動式触媒注入システム。
【請求項２５】
前記プラットフォームと圧力制御システムとに結合された第２の触媒リザーバをさらに備える、請求項２２に記載の移動式触媒注入システム。
【請求項２６】
流動接触分解システムにおけるプロセス制御のための方法であって、
１つまたは複数の堅くパイプで接続された触媒注入システムを有する流動接触分解システム内の原油を加工することと、
移動式触媒注入システムを前記流動接触分解システムへと輸送することと、
前記移動式触媒注入システムを前記流動接触分解システムに結合することと、
前記移動式触媒注入から前記流動接触分解システム内へと触媒を注入することと
を含む方法。
【請求項２７】
前記輸送するステップがさらに、道路、陸上、海上、または航空のうち少なくとも１つによって前記移動式触媒注入システムを移動させることを含む、請求項２６に記載の方法。
【請求項２８】
前記１つまたは複数の堅くパイプで接続された触媒注入システムによって分配される触媒以外に必要とされる触媒の必要性を識別することをさらに含む、請求項２６に記載の方法。
【請求項２９】
前記輸送するステップが、前記識別された必要性に対応する、請求項２８に記載の方法。
【請求項３０】
前記注入するステップが、前記輸送するステップの完了後少なくとも１時間以内に行われる、請求項２９に記載の方法。
【請求項３１】
前記注入システムの第１の区画内に触媒を保管することと、
前記注入システムの第２の区画内に触媒を保管することをさらに含む、請求項２６に記載の方法。
【請求項３２】
前記第１および第２の区画の間の容積比を調整することをさらに含む、請求項３１に記載の方法。
【請求項３３】
前記第１および第２の区画に共通のプレナムを加圧することをさらに含む、請求項３１に記載の方法。
【請求項３４】
前記注入するステップがさらに、少なくとも２つの触媒を前記２つの別々の区画から同時に分配することをさらに含む、請求項３１に記載の方法。
【請求項３５】
前記注入するステップがさらに、少なくとも２つの触媒を前記２つの別々の区画から順次分配することをさらに含む、請求項３１に記載の方法。
【請求項３６】
流動接触分解ユニットに触媒を装填するための装填装置であって、
可搬ハウジングと、
前記可搬ハウジング内に配置された容器と、
前記容器に関連される複数の触媒保管領域と、
前記容器に接続される計量装置であり、前記複数の触媒保管領域の選択された一つから供給された触媒の量を示す計量を提供するように構成されている前記計量装置と
を備える装填装置。
【請求項３７】
流動接触分解ユニットに触媒を装填するための装填装置であって、
別個独立のコンテナから流動接触分解ユニットに複数の触媒を選択的に供給するように構成された装置と、
前記各コンテナから前記流動接触分解ユニットに移送された触媒の量を測定するための計量システムと、
前記計量システムに結合された制御装置であり、実行された場合に、前記複数の触媒の選択された一つを、前記容器を通して前記流動接触分解ユニットに送る命令を含んでいる前記制御装置と
を備える装填装置。
【請求項３８】
流動接触分解ユニットに触媒を供給する方法であって、
流動接触分解ユニットに対して複数の別個独立の触媒保管領域を有する注入装置を設けるステップと、
前記注入装置を通して前記流動接触分解ユニットに触媒を選択的に送るステップと、
前記注入装置を通して前記流動接触分解ユニットに送られた触媒の量を測定するステップと
を含む方法。
【請求項３９】
流動接触分解ユニットに触媒を供給する方法であって、
流動接触分解ユニットに結合された注入装置内に複数の触媒を流入させるステップと、
前記複数の触媒の選択された一つを前記流動接触分解ユニットに注入する前に、前記注入装置を加圧するステップ
を含む方法。